【事件の表示】
　特願２０１２−２０３５５５号「戸当り」拒絶査定不服審判事件〔平成２６年　４月　３日出願公開、特開２０１４−　５８７９２号〕について、次のとおり審決する。
【結　論】
　本件審判の請求は、成り立たない。
【理　由】
第１．手続の経緯
　本願は、平成２４年９月１４日の出願であって、平成２５年５月８日付けの拒絶理由の通知に対し、平成２５年７月９日に意見書が提出されるとともに手続補正がなされたが、平成２５年７月３０日付けで拒絶査定がなされ、これに対して平成２５年１１月１日に審判請求がなされるとともに手続補正がなされたものである。
　
第２．平成２５年１１月１日付けの手続補正についての補正却下の決定
　
［補正却下の決定の結論］
　平成２５年１１月１日付けの手続補正を却下する。
　
［理由］
１．補正事項
　平成２５年１１月１日の手続補正（以下、「本件補正」という。）により、特許請求の範囲の請求項１は、
　補正前の
「扉の下部に設置されるケース体に磁石を内蔵した戸当り本体と、床面に設置される台座に磁性体からなる係止プレートが基端部に配置した水平支軸により先端部が上下方向に揺動可能に配置された係止具とからなり、前記扉を所定の開度に開いた位置で前記係止具を前記戸当り本体の磁石に吸着させた状態で前記戸当り本体に形成した係止部材の付勢した係止突起により前記係止具の係止プレートを下方から係脱自由に係止する構成の戸当りであって、前記係止具の係止プレートは先端部に少なくとも前記水平支軸にほぼ平行な開口縁を有する窓孔からなる被係止部を有し、前記戸当り本体は前記磁石が前記係止プレートを磁気吸着力で斜めに起立させるための傾斜面を有するとともに、前記係止部材の係止突起は先端部に扉の移動に伴って前記磁気吸着力により斜めに起立させた前記係止プレートに形成した前記被係止部の開口縁に沿って嵌挿係止可能で且つ先端面がほぼ方形で前記開口縁に少なくとも前記先端面が挿入可能で、前記付勢力が前記係止プレートの先端部によって前記係止突起が押し退けられる付勢力であるとともに前記係止突起と前記被係止部との係合により扉の移動に抵抗を与えることにより扉を開状態に保持し、その状態で前記磁気吸着力と前記付勢力の和よりも大きな閉じ力が前記扉に作用したときに前記係止突起が前記付勢力に抗して前記被係止部から抜脱して前記被係止部との係合が解除され前記戸当り本体と係止具との係合が解除されて扉が閉成することを特徴とする戸当り。」
から、
　補正後の
「扉の下部に設置されるケース体に磁石を内蔵した戸当り本体と、床面に設置される台座に磁性体からなる係止プレートが基端部に配置した水平支軸により先端部が上下方向に揺動可能に配置された係止具とからなり、前記扉を所定の開度に開いた位置で前記係止具を前記戸当り本体の磁石に吸着させた状態で前記戸当り本体に形成した係止部材の付勢した係止突起により前記係止具の係止プレートを下方から係脱自由に係止する構成の戸当りであって、前記係止具の係止プレートは先端部に少なくとも前記水平支軸にほぼ平行な開口縁を有する窓孔からなる被係止部を有し、前記戸当り本体は前記磁石が前記係止プレートを磁気吸着力で斜めに起立させるための傾斜面を有するとともに、前記係止部材の係止突起は先端部に扉の移動に伴って前記磁気吸着力により斜めに起立させた前記係止プレートに形成した前記被係止部の開口縁に沿って嵌挿係止可能で且つ
ほぼ方形で少なくとも先端面が磁石または磁性体により形成されて少なくとも前記先端面が窓孔に挿入可能で、
および前記窓に挿入した先端面が前記磁石に吸着することにより
　
２．補正の適否
　本願の願書に最初に添付された明細書、特許請求の範囲又は図面（以下、これらを「当初明細書等」という。）には、本件補正により追加された、「係止部材の係止突起」が「少なくとも先端面が磁石または磁性体により形成され」ること、及び、「窓に挿入した先端面が前記磁石に吸着すること」は記載されていない。
　そして、上記補正により追加された「係止部材の係止突起」が「少なくとも先端面が磁石または磁性体により形成され」ること、及び、「窓に挿入した先端面が前記磁石に吸着すること」は、「係止部材の係止突起」と「戸当り本体の磁石」との関係において新たな技術事項を導入するものであるから、本件補正は、当初明細書等に記載された事項の範囲内においてするものとはいえないから、特許法１７条の２第３項に規定する要件を満たしていない。
　よって、本件補正は、特許法第１７条の２第３項の規定に違反するものであり、同法第１５９条第１項で読み替えて準用する同法第５３条第１項の規定により却下すべきものである。
　よって、上記補正の却下の決定のとおり決定する。
　
　
第３．本願発明について
１．本願発明
　平成２５年１１月１日付けの手続補正は、上記のとおり却下されたので、本願の請求項１及び２に係る発明は、平成２５年７月９日付けで補正された特許請求の範囲の請求項１及び２に記載された事項により特定されるものであるところ、その請求項１に係る発明（以下、「本願発明」という。）は次のとおりのものである。
　
「扉の下部に設置されるケース体に磁石を内蔵した戸当り本体と、床面に設置される台座に磁性体からなる係止プレートが基端部に配置した水平支軸により先端部が上下方向に揺動可能に配置された係止具とからなり、前記扉を所定の開度に開いた位置で前記係止具を前記戸当り本体の磁石に吸着させた状態で前記戸当り本体に形成した係止部材の付勢した係止突起により前記係止具の係止プレートを下方から係脱自由に係止する構成の戸当りであって、前記係止具の係止プレートは先端部に少なくとも前記水平支軸にほぼ平行な開口縁を有する窓孔からなる被係止部を有し、前記戸当り本体は前記磁石が前記係止プレートを磁気吸着力で斜めに起立させるための傾斜面を有するとともに、前記係止部材の係止突起は先端部に扉の移動に伴って前記磁気吸着力により斜めに起立させた前記係止プレートに形成した前記被係止部の開口縁に沿って嵌挿係止可能で且つ先端面がほぼ方形で前記開口縁に少なくとも前記先端面が挿入可能で、前記付勢力が前記係止プレートの先端部によって前記係止突起が押し退けられる付勢力であるとともに前記係止突起と前記被係止部との係合により扉の移動に抵抗を与えることにより扉を開状態に保持し、その状態で前記磁気吸着力と前記付勢力の和よりも大きな閉じ力が前記扉に作用したときに前記係止突起が前記付勢力に抗して前記被係止部から抜脱して前記被係止部との係合が解除され前記戸当り本体と係止具との係合が解除されて扉が閉成することを特徴とする戸当り。」
　
２．引用例
　原査定の拒絶の理由に引用された、本願出願前に頒布された特開２００３−２０８４８号公報（以下、「引用例１」という。）には、次の事項が記載されている。
　
（ａ）「【０００６】
　　【課題を解決するための手段】
　本発明は上記のような従来の問題点を解消し得る扉位置決め装置を提供することを目的とするものであって、その手段を後述する実施形態の参照符号を付して示すと、床側に設けられた被係止体１と、扉７の下端部に設けられた係止手段２とから成り、床側被係止体１は、水平支軸５により起伏自在に軸支されたもので、その先端部には、前記水平支軸５に対して直交する長手方向に於いて段状の被係止部６が形成され、扉側係止手段２は、前記被係止体１を磁気吸着力で斜めに起立させる磁石９と、斜めに起立した被係止体１の先端部が扉の移動に伴って嵌入する係止凹部１０とを備え、当該係止凹部１０は、前記被係止体１の先端部によって押し退けられる弾性を有し且つ当該係止凹部１０内に嵌入した前記被係止体１の段状被係止部６と係合する係止部１３を備え、当該係止部１３と前記被係止体１の段状被係止部６との引っ掛かりにより扉７の逆方向の移動に抵抗を与える構成となっている。」
　
（ｂ）「【００１２】
　　【発明の実施の形態】
　以下に本発明の好適実施形態を添付図に基づいて説明すると、図１〜図４に於いて、１は床側被係止体であり、２は扉側係止手段である。床側被係止体１は、帯状金属板から成る平面形状が長方形のもので、その長手方向一端が、床面３上に面付けされる偏平な取付用本体４内に表面面一の状態で嵌合する倒伏姿勢と斜め上に起立する斜め起立姿勢との間で上下揺動自在に水平支軸５により軸支されており、その先端部は下側に折り返され、当該折り返し部１ａの内向き先端によって段状被係止部６が形成されている。
【００１３】
　扉側係止手段２は、扉７の側面７ａの下端部に取り付けられる本体８と、この本体８の下側に当該本体７の全巾にわたって形成され且つ扉側面７ａ側が上がるように傾斜した下側傾斜面８ａに埋設された磁石９（下端表面は本体下側傾斜面８ａより若干埋没している）と、前記本体下側傾斜面８ａの傾斜上端部下側に形成された係止凹部１０とを備えている。この係止凹部１０は、可動片１１と前記本体下側傾斜面８ａとの間で形成されている。
【００１４】
　前記可動片１１は、本体８の扉側面７ａ側に形成された凹部８ｂ内に遊嵌する縦部分１１ａと、前記本体下側傾斜面８ａの下側に延出する横部分１１ｂとから成る側面形状が略Ｌ字形のものであって、その縦部分１１ａの中間部が扉側面７ａと平行な水平支軸１２によって一定範囲内揺動自在に本体８に支承されている。そして、当該可動片１１の横部分１１ｂの先端上側に、側面形状が山形状に突出する係止部１３が形成されている。又、本体８には、前記可動片１１の縦部分１１ａの上端部（水平支軸１２より上側位置）を扉側面７ａ側に押圧付勢するバネ（圧縮コイルスプリング）１４と、当該バネ１４の付勢力調整手段１５とが内蔵されている。」
　
（ｃ）「【００２２】
　しかして、扉係止位置に向かって移動する扉７が扉係止位置の直前に達すると、床側被係止体１の先端部上に扉側係止手段２の磁石９が対面し、図１Ａに仮想線で示すように、当該磁石９と床側被係止体１との間に作用する磁気吸着力により床側被係止体１が引き上げられ、当該床側被係止体１が水平支軸５の周りで上方に揺動して先端部が扉側係止手段２の本体８の傾斜下側面８ａに当接する。そして、この後の扉７の移動に伴う床側被係止体１と扉側係止手段２との相対移動により、床側被係止体１の先端部が扉側係止手段２の係止凹部１０内に進入しようとするが、このとき、床側被係止体１の先端部が係止凹部１０を構成する傾斜下側面８ａと可動片１１の横部分１１ｂとの間に割り込むことになり、可動片１１がバネ１４の付勢力に抗して水平支軸１２の周りに回動することにより床側被係止体１の先端部が係止凹部１０内に進入するのを許す。
【００２３】
　図１Ｂに示すように、扉７は扉係止位置に到達したとき、床側被係止体１の先端部が係止凹部１０の奥端に衝突して当該扉係止位置を超えて扉７が尚も移動するのを阻止する。このとき、床側被係止体１の先端側の折り返し部１ａが係止凹部１０内に完全に嵌入し、可動片１１がバネ１４の付勢力で復帰回動してその横部分１１ｂの先端上側の係止部１３が床側被係止体１の先端部下側の段状被係止部６に係合するので、床側被係止体１の先端部が係止凹部１０の奥端に衝突したときの反動で扉７が扉係止位置から逆向きに移動しようとするのを、可動片１１側の段状被係止部６と床側被係止体１の係止部１３との引っ掛かりにより防止される。換言すれば、扉係止位置から扉７が逆向きに移動することに対して、可動片１１側の段状被係止部６と床側被係止体１の係止部１３との引っ掛かりが抵抗になっている。
【００２４】
　従って、扉係止位置に係止された扉７を逆方向に移動させるときは、前記可動片１１側の段状被係止部６と床側被係止体１の係止部１３との引っ掛かりによる抵抗に打ち勝つだけの操作力を扉７に与えることにより、可動片１１側の段状被係止部６が床側被係止体１の係止部１３により押し下げられ、可動片１１がバネ１４の付勢力に抗して回動せしめられながら係止凹部１０内から床側被係止体１の先端部（係止部１３）が離脱し、扉７の逆方向への移動を許すことになる。扉７が移動して、床側被係止体１の上方位置から扉側係止手段２が離れると、磁気吸着力で引き上げられていた床側被係止体１が重力で下方に回動倒伏し、図１Ａに実線で示すように、取付用本体４内に収納される。」
　
（ｄ）「【００２７】
　又、床側被係止体１の段状被係止部６は、床側被係止体１に付設した別部材で構成することも出来るし、床側被係止体１に形成した孔や、床側被係止体１の先端を下側へ直角に折曲した部分によって構成することも出来る。
【００２８】
　尚、以上に説明した実施形態の扉７は、一般の開き戸であって、床側被係止体１と扉側係止手段２とから成る扉位置決め装置は、回動限位置で当該扉７を位置決めする戸当たりとして使用されている。」
　
（ｅ）上記（ｃ）の「当該磁石９と床側被係止体１との間に作用する磁気吸着力により床側被係止体１が引き上げられ、当該床側被係止体１が水平支軸５の周りで上方に揺動して先端部が扉側係止手段２の本体８の傾斜下側面８ａに当接する。そして、この後の扉７の移動に伴う床側被係止体１と扉側係止手段２との相対移動により、床側被係止体１の先端部が扉側係止手段２の係止凹部１０内に進入しようとするが、このとき、床側被係止体１の先端部が係止凹部１０を構成する傾斜下側面８ａと可動片１１の横部分１１ｂとの間に割り込むことになり、可動片１１がバネ１４の付勢力に抗して水平支軸１２の周りに回動することにより床側被係止体１の先端部が係止凹部１０内に進入するのを許す。」という記載事項及び図１Ｂから、扉７が扉係止位置に到達したとき、床側被係止体１が扉側係止手段２の本体８の傾斜下側面８ａに当接することは明らかである。
　
　したがって、上記記載事項を総合すれば、引用例１には以下の発明（以下、「引用発明１」という。）が記載されている。
　
「扉７の下端部に設けられた扉側係止手段２と、床側に設けられた床側被係止体１とから成る戸当りであって、
　扉側係止手段２は、床側被係止体１を磁気吸着力で斜めに起立させる、下側傾斜面８ａに埋設された磁石９と、斜めに起立した被係止体１の先端部が扉の移動に伴って嵌入する係止凹部１０を備え、当該係止凹部１０は、前記被係止体１の先端部によって押し退けられる弾性を有し且つ当該係止凹部１０内に嵌入した前記扉側被係止体１の段状被係止部６と係合する係止部１３を備え、当該係止部１３と前記扉側被係止体１の段状被係止部６との引っ掛かりにより扉７の逆方向の移動に抵抗を与える構成であり、
　床側被係止体１は、帯状金属板であって、平面形状が長方形であり、床側被係止体１の長手方向一端が、床面３上に面付けされる偏平な取付用本体４内に、床側被係止体１が倒伏姿勢と斜め起立姿勢との間で上下揺動自在に、水平支軸５により軸支されたもので、その先端部は下側に折り返され、当該折り返し部１ａの内向き先端によって、前記水平支軸５に対して直交する長手方向に於いて段状の被係止部６が形成され、
　扉係止位置に向かって移動する扉７が扉係止位置に到達したとき、床側被係止体１の先端側の折り返し部１ａが係止凹部１０内に完全に嵌入し、床側被係止体１が磁石９の磁気吸着力により傾斜下側面８ａに当接した状態で、可動片１１がバネ１４の付勢力で復帰回動してその横部分１１ｂの先端上側の係止部１３が床側被係止体１の先端部下側の段状被係止部６に係合し、
　前記可動片１１側の段状被係止部６と床側被係止体１の係止部１３との引っ掛かりによる抵抗に打ち勝つだけの操作力を扉７に与えることにより、可動片１１側の段状被係止部６が床側被係止体１の係止部１３により押し下げられ、可動片１１がバネ１４の付勢力に抗して回動せしめられながら係止凹部１０内から床側被係止体１の先端部（係止部１３）が離脱し、扉７の逆方向への移動を許すことになる
　戸当たり。」
　
３．対比
　本願発明と引用発明１とを対比する。 
（ａ）引用発明１の「扉７の下端部に設けられた」、「下側傾斜面８ａに埋設された磁石９」を備える「扉側係止手段２」は、本願発明の「扉の下部に設置されるケース体に磁石を内蔵した戸当り本体」に相当し、以下同様にして、
「平面形状が長方形であ」る「床側被係止体１」は、「係止プレート」に、
「帯状金属」は、「磁性体」に、
「長手方向一端」は、「基端部」に、
「床面３上に面付けされる偏平な取付用本体４」は、「床面に設置される台座」に、
「水平支軸５」は、「水平支軸」に、
「床側被係止体１」及び「水平支軸５」は、「係止具」に、
「扉係止位置に向かって移動する扉７が扉係止位置に到達したとき」は、「扉を所定の開度に開いた位置」に、
「扉側係止手段２の本体８に支承された可動片１１」は、「戸当り本体に形成した係止部材」に、
「バネ１４の付勢力」により「係合」する「係止部１３」は、「付勢した係止突起」に、
「床側被係止体１」に「形成され」る「段状被係止部６」は、「係止プレート」が「有」する「被係止部」に、
「床側被係止体１を磁気吸着力で斜めに起立させる」「磁石９」が「埋設された」「下側傾斜面８ａ」は、「磁石が前記係止プレートを磁気吸着力で斜めに起立させるための傾斜面」に、
「床側被係止体１の先端側の折り返し部１ａが係止凹部１０内に完全に嵌入し」て、「可動片１１が」「復帰回動」する程度の「バネ１４の付勢力」は、「付勢力が前記係止プレートの先端部によって前記係止突起が押し退けられる付勢力」に、
「扉７の逆方向への移動」は、「扉が閉成すること」に相当する。
　
（ｂ）引用発明１では、床側被係止体１の長手方向一端が上下揺動自在に軸支されることから、床側被係止体１の先端部は上下揺動自在であるといえる。
　
（ｃ）引用発明１では、係止部１３が床側被係止体１の先端部下側の段状被係止部６に係合することから、係止部１３は床側被係止体１の下方から係合しているといえる。
　
（ｄ）引用発明１では、扉係止位置に向かって移動する扉７が扉係止位置に到達したとき、係止部１３が段状被係止部６に係合していることから、係止部１３と段状被係止部６の係合により、扉７の移動に抵抗を与えることにより扉７を開状態に保持しているといえる。
　
（ｅ）引用発明１における、「可動片１１側の段状被係止部６と床側被係止体１の係止部１３との引っ掛かりによる抵抗に打ち勝つだけの操作力」は、段状被係止部６と床側被係止体１の係止部１３とが引っ掛かりに至るまでの機構に着目すると、「磁気吸着力」と「バネ１４の付勢力」との和よりも大きいことは明らかであるので、本願発明の「磁気吸着力と前記付勢力の和よりも大きな閉じ力」に相当する。
　
（ｆ）引用発明１では、可動片１１側の段状被係止部６と床側被係止体１の係止部１３との引っ掛かりによる抵抗に打ち勝つだけの操作力を扉７に与えることにより、段状被係止部６が係止部１３により押し下げられ、可動片１１がバネ１４の付勢力に抗して回動せしめられながら係止凹部１０内から係止部１３が離脱し、扉７の逆方向への移動を許すことになることから、係止部１３は、バネ１４の付勢力に抗して段状被係止部６から脱抜して段状被係止部６との係合が解除され、その結果、扉側係止手段２と（水平支軸５に軸支される）床側被係止体１との係合が解除されるといえる。
　
（ｇ）そうすると、両者は、 
「扉の下部に設置されるケース体に磁石を内蔵した戸当り本体と、床面に設置される台座に磁性体からなる係止プレートが基端部に配置した水平支軸により先端部が上下方向に揺動可能に配置された係止具とからなり、前記扉を所定の開度に開いた位置で前記係止具を前記戸当り本体に形成した係止部材の付勢した係止突起により前記係止具の係止プレートを下方から係脱自由に係止する構成の戸当りであって、前記係止具の係止プレートは被係止部を有し、前記戸当り本体は前記磁石が前記係止プレートを磁気吸着力で斜めに起立させるための傾斜面を有するとともに、前記係止部材の係止突起は先端部に扉の移動に伴って前記磁気吸着力により斜めに起立させた前記係止プレートに形成した前記被係止部に沿って係止可能で、前記付勢力が前記係止プレートの先端部によって前記係止突起が押し退けられる付勢力であるとともに前記係止突起と前記被係止部との係合により扉の移動に抵抗を与えることにより扉を開状態に保持し、その状態で前記磁気吸着力と前記付勢力の和よりも大きな閉じ力が前記扉に作用したときに前記係止突起が前記付勢力に抗して前記被係止部から抜脱して前記被係止部との係合が解除され前記戸当り本体と係止具との係合が解除されて扉が閉成する戸当り。」 
である点で一致しており、次の点で相違する。
　
（相違点１）
　本願発明において、扉を所定の開度に開いた位置で係止具を戸当り本体の磁石に吸着させるのに対し、引用発明１においては、床側被係止体１が磁石９の磁気吸着力により傾斜下側面８ａに当接している点。
　
（相違点２）
　本願発明において、係止具の係止プレートの先端部に少なくとも水平支軸にほぼ平行な開口縁を有する窓孔からなる被係止部を有し、係止部材の係止突起が開口縁に沿って嵌挿係止可能であり、係止部材の係止突起の先端面が開口縁に少なくとも挿入可能であるのに対し、引用発明１においては、係止部１３は床側被係止体１の先端部下側の段状被係止部６に係合する点。
　
（相違点３）
　本願発明において、係止部材の係止突起の先端面がほぼ方形であるのに対し、引用発明１においては、係止部１３の先端面の形状が明らかでない点。
　
　
４．判断
（ａ）上記（相違点１）について検討する。
　磁気吸引力が作用する物体同士は、近いほど磁気吸引力が増すことは技術常識である。
　そうすると、引用発明１において、磁石９と床側被係止体１との間に作用する磁気吸着力により、床側被係止体１を引き上げて本体８の傾斜下側面８ａに当接させる際に、より確実に床側被係止体１を引き上げるために、磁石９と床側被係止体１とを接触させることで磁気吸着力を作用させ、本願発明の相違点１に係る構成とすることは、当業者が容易に想到し得たことである。
　
（ｂ）上記（相違点２）及び（相違点３）について検討する。
　引用例１の記載事項（ｄ）には、「床側被係止体１の段状被係止部６は、・・・床側被係止体１に形成した孔・・・によって構成することも出来る。」と記載されている。
　そうすると、引用発明１において、床側被係止体１の先端部下側の段状被係止部６を、孔によって構成することは、当業者が容易に想到し得たことである。
　その際、段状被係止部６に係止部１３を確実に係合させるための構造として、孔を床側被係止体１の先端部に水平支軸にほぼ平行な開口縁を有する形状とし、係止部１３の先端面を、開口縁と係合する部分を直線形状としたほぼ方形として開口縁に沿って嵌挿係止可能とし、開口縁に少なくとも挿入可能であるように構成して、本願発明の相違点２及び３に係る構成とすることは、当業者が適宜設計得たことである。
　　
（ｃ）また、本願発明の作用効果は、引用発明１の奏する作用効果から予測される範囲内のものにすぎず、格別なものではない。
　
（ｄ）したがって、本願発明は、引用発明１に基づいて容易に発明をすることができたものである。
　
４． むすび
　以上のとおり、本願発明は、特許法２９条２項の規定により特許を受けることができないから、他の請求項に係る発明について検討するまでもなく、本願は拒絶されるべきものである。
　
　よって、結論のとおり審決する。